(57)【要約】      （修正有）【課題】静電気センサーにより上蓋の自動開閉が可能な蓋付きゴミ箱を提供する。【解決手段】本体１１、本体上部の開口に嵌設する非導電材料製のフレーム台１２、及び前記フレーム台を覆う上蓋１３により構成する。前記上蓋は投入口１３２、投入口を覆う蓋板１３３、及び人体の静電気を感知する静電気センサー部品２を備え、静電気センサー部品から延長するセンサー線２１は上蓋内に配置する。人体が静電気センサー部品及びセンサー線で構成されるセンサーエリアに近付くと、蓋板は投入口箇所から自動的に開く。また、フレーム台の設置により、本体をステンレス等の金属素材で作製することも可能であり、しかも、静電気センサー部品及びセンサー線により構成されるセンサーエリアの人体静電気に対する感知に影響を及ぼすことはないゴミ箱とする。【選択図】図２
0003151050.tif 000002
【実用新案登録請求の範囲】
【請求項１】
本体、フレーム台、及び上蓋により構成される自動オープン式の蓋を備えるゴミ箱において、前記本体は、ステンレス金属素材で作製し、周囲に側壁、側壁内部で区切られる内部室、及び上部開口を備え、前記内部室はゴミ袋を配置する為のもので、前記フレーム台は非導電材料により作製し、並びに、周囲のフレームエッジ、上部開口、及び底部開口を備え、底部開口内の周囲にはフランジを形成し、底部開口は本体の上部開口上に嵌合し、フランジは本体の周囲縁の側壁上端に接近しており、周囲のエッジは、金属本体が静電気センサー部品に対して顕著な静電気障害を発生させない高さを備え、前記上蓋は、フレーム台の上部開口上を覆い、且つ、前記上蓋は、投入口、投入口を覆う蓋板、及び人体の静電気を感知する静電気センサー部品を備え、静電気センサー部品から延長するセンサー線は上蓋内に配置し、人体が静電気センサー部品及びセンサー線で構成されるセンサーエリアに近付くと、蓋板は対応する投入口から自動的に開かれ、フレーム台は上蓋と本体間に一定間隔を空けることにより、蓋板の誤動作発生を防止することを特徴とする自動オープン式の蓋を備えるゴミ箱。
【請求項２】
前記本体の上部開口の内側周囲には折り目エッジを形成し、また、フランジ上には間隔を開けた複数の引き掛け部を設け、対応する折り目エッジの底部に嵌入して定位することを特徴とする請求項１記載の自動オープン式の蓋を備えるゴミ箱。
【請求項３】
前記本体の上部開口の内側周囲には折り目エッジを形成し、また、フランジ上には間隔を開けた複数の引き掛け部を設け、対応する折り目エッジの底部に嵌入して定位することを特徴とする請求項２記載の自動オープン式の蓋を備えるゴミ箱。
【請求項４】
前記フレームエッジはプラスチック素材で作製され、しかもフレーム台周囲のフレームエッジの高さは６センチ以上とすることを特徴とする請求項３記載の自動オープン式の蓋を備えるゴミ箱。
【請求項５】
前記フレーム台に内設するフレーム体には貫通孔を備え、フレーム体はゴミ袋の開口箇所を折り返して包み込む為のもので、ゴミ袋の底部はフレーム体の貫通孔を通過し、ゴミ袋はフレーム台とフレーム体間に挟みこまれて固定することを特徴とする請求項１もしくは３記載の自動オープン式の蓋を備えるゴミ箱。
【請求項６】
前記フレーム体は、更に、第一エッジと第二エッジを備え、前記二つのエッジにはそれぞれ貫通孔を形成し、二つのエッジにはどちらも接合エッジを設け、前記第一エッジの接合エッジ上端面には凹部を備え、第二エッジの接合エッジには凹部に対応するプレス板を設置し、第一エッジは第一ゴミ袋の開口箇所が包み込む為のものであるのに対し、第二エッジは第二ゴミ袋の開口箇所が包み込む為のもので、第一エッジと第二エッジの接合エッジは隣接しており、且つ第二エッジのプレス板は第一エッジの凹部内に嵌入して第一ゴミ袋と第二ゴミ袋の接合エッジ部分を挟み込んで固定し、並びに第一ゴミ袋の第一エッジを包み込む余剰部分はフレーム台と第一エッジ間に挟みこまれて固定し、第二ゴミ袋の第二エッジを包み込む余剰部分はフレーム台と第二エッジ間に挟みこまれて固定することを特徴とする請求項５記載の自動オープン式の蓋を備えるゴミ箱。
【考案の詳細な説明】
【技術分野】
【０００１】
本考案は、特に静電気センサー技術により上蓋の自動開閉が可能な蓋付きゴミ箱を提供する。
【背景技術】
【０００２】
ゴミの臭気放出及びハエの寄生を防止する為、通常、ゴミ箱の上には蓋が設けられている。ゴミ箱の蓋を便利に開く為に、ペダル式で蓋を開くゴミ箱やセンサー式で蓋を開くゴミ箱が既に設計されている。その内のセンサー式で蓋を開くゴミ箱を使用する場合、使用者がただ手をゴミ箱のゴミ投入口に近づけるだけで、蓋が自動的に開かれ、ゴミ箱に接触せずに手を汚すことがなく、細菌感染の悩みを解決することができる。
【０００３】
特許文献１に開示した蓋を自動的に開くゴミ箱では、本体上に蓋体を覆い、本体上方に設けた開口内にはフレーム体を嵌設するフランジを設置し、フレーム体上にはゴミ袋を配置する。蓋体の本体上には電池、スイッチ、回路板、電子部品、及びモーターの減速ギアボックスを設け、回路板上には電子部品及びセンサー制御部を設置する。センサー制御部には、センサー線を延長させて蓋体の本体の周囲に固定し、減速ギアボックスは蓋体の本体の後端部に固定配置し、モーターによって減速ギアボックスを動かす。特許文献１においては、どの種類の非接触式センサーを使うことにより人体が近寄った時に蓋が自動的に開かれるのかは開示されていないが、現在の非接触式の技術に基づく判断では、人体上の非接触式センサーは温度、赤外線、及び静電気に適しており、本考案は、静電気センサーにおける自動的に蓋を開くゴミ箱である。以下に静電気センサーの説明を行う。センサー線は、人体によってもたらされる静電気を感知し、ゴミを捨てる者の手がセンサー線の感知可能範囲に近付くと、モーターが駆動し、並びに減速カム部に対応する機械作動を起こさせ、蓋体の開閉を発生させ、ゴミ箱に触れずに実施効果を達成し、且つ蓋体をある一定時間開いた後は、モーターを反転させて蓋体を閉じる。
【０００４】
静電気センサーによって蓋を自動的に開くゴミ箱は使用が非常に便利であるが、蓋体上に設けたセンサー線は静電気センサーを発生させる時、導電物品の障害を受け易い為、ゴミ箱本体の材料選択が制限される。言い換えれば、公知の静電気センサーによる蓋を開くゴミ箱の蓋体は、本体上に接触状態で覆うものであり、本体をステンレス等の導電材料により作製した場合、誤動作発生の可能性もある。
【０００５】
センサー線の静電気センサーの実施に影響を与えるのを防ぐ為、公知の静電気センサーによる蓋を開くゴミ箱はプラスチック素材で作製している。しかし、プラスチック製のゴミ箱と金属製のゴミ箱を比較すると質感上の差があり、客間や部屋等の美観を要求される場所への配置には適さない。また、プラスチック製ゴミ箱の使用寿命も短い。
【先行技術文献】
【特許文献】
【０００６】
【特許文献１】台湾実用新案公告第３７００９１号明細書
【考案の概要】
【考案が解決しようとする課題】
【０００７】
前記問題点に鑑み、本考案者は本考案の自動オープン式の蓋を備えるゴミ箱を創出した。本考案の主な目的は、静電気センサーによる自動オープン式の蓋を備えるゴミ箱を提供することにあり、前記ゴミ箱の本体素材は非導電材質に制限されず、ゴミ箱本体の材料における選択自由度を高め、且つゴミ箱の静電気センサーによりゴミ箱の上蓋を自動的に開く実施例に影響を与えないものである。
【課題を解決するための手段】
【０００８】
請求項１の考案は、本体、フレーム台、及び上蓋により構成される自動オープン式の蓋を備えるゴミ箱において、前記本体は、ステンレス金属素材で作製し、周囲に側壁、側壁内部で区切られる内部室、及び上部開口を備え、前記内部室はゴミ袋を配置する為のもので、前記フレーム台は非導電材料により作製し、並びに、周囲のフレームエッジ、上部開口、及び底部開口を備え、底部開口内の周囲にはフランジを形成し、底部開口は本体の上部開口上に嵌合し、フランジは本体の周囲縁の側壁上端に接近しており、周囲のエッジは、金属本体が静電気センサー部品に対して顕著な静電気障害を発生させない高さを備え、前記上蓋は、フレーム台の上部開口上を覆い、且つ、前記上蓋は、投入口、投入口を覆う蓋板、及び人体の静電気を感知する静電気センサー部品を備え、静電気センサー部品から延長するセンサー線は上蓋内に配置し、人体が静電気センサー部品及びセンサー線で構成されるセンサーエリアに近付くと、蓋板は対応する投入口から自動的に開かれ、フレーム台は上蓋と本体間に一定間隔を空けることにより、蓋板の誤動作発生を防止することを特徴とする自動オープン式の蓋を備えるゴミ箱としている。
請求項２の考案は、前記本体の上部開口の内側周囲には折り目エッジを形成し、また、フランジ上には間隔を開けた複数の引き掛け部を設け、対応する折り目エッジの底部に嵌入して定位することを特徴とする請求項１記載の自動オープン式の蓋を備えるゴミ箱としている。
請求項３の考案は、前記本体の上部開口の内側周囲には折り目エッジを形成し、また、フランジ上には間隔を開けた複数の引き掛け部を設け、対応する折り目エッジの底部に嵌入して定位することを特徴とする請求項２記載の自動オープン式の蓋を備えるゴミ箱としている。
請求項４の考案は、前記フレームエッジはプラスチック素材で作製され、しかもフレーム台周囲のフレームエッジの高さは６センチ以上とすることを特徴とする請求項３記載の自動オープン式の蓋を備えるゴミ箱としている。
請求項５の考案は、前記フレーム台に内設するフレーム体には貫通孔を備え、フレーム体はゴミ袋の開口箇所を折り返して包み込む為のもので、ゴミ袋の底部はフレーム体の貫通孔を通過し、ゴミ袋はフレーム台とフレーム体間に挟みこまれて固定することを特徴とする請求項１もしくは３記載の自動オープン式の蓋を備えるゴミ箱としている。
請求項６の考案は、前記フレーム体は、更に、第一エッジと第二エッジを備え、前記二つのエッジにはそれぞれ貫通孔を形成し、二つのエッジにはどちらも接合エッジを設け、前記第一エッジの接合エッジ上端面には凹部を備え、第二エッジの接合エッジには凹部に対応するプレス板を設置し、第一エッジは第一ゴミ袋の開口箇所が包み込む為のものであるのに対し、第二エッジは第二ゴミ袋の開口箇所が包み込む為のもので、第一エッジと第二エッジの接合エッジは隣接しており、且つ第二エッジのプレス板は第一エッジの凹部内に嵌入して第一ゴミ袋と第二ゴミ袋の接合エッジ部分を挟み込んで固定し、並びに第一ゴミ袋の第一エッジを包み込む余剰部分はフレーム台と第一エッジ間に挟みこまれて固定し、第二ゴミ袋の第二エッジを包み込む余剰部分はフレーム台と第二エッジ間に挟みこまれて固定することを特徴とする請求項５記載の自動オープン式の蓋を備えるゴミ箱としている。
【考案の効果】
【０００９】
本考案の自動オープン式の蓋を備えるゴミ箱は、その本体素材は非導電材質に制限されず、ゴミ箱本体の材料における選択自由度を高める効果を有する。
【図面の簡単な説明】
【００１０】
【図１】本考案の実施例に関する構成要素の分解図である。
【図２】図１の組立断面図である。
【図３】図２の一部断面図である。
【図４】図１のフレーム台の拡大図、並びにフレーム台の断面図である。
【考案を実施するための形態】
【００１１】
次に示す図面は本考案の根本内容を説明する為の便宜的なものである。図面中に構成された良好な実施例の部品数、位置、関係、及びサイズの変化は、本考案の開示を閲読し理解した後の説明、または本業界の技能に属する。また、本考案の開示を閲読し理解した後に組み合わせた特定の力量、重量、強度、並びに類似要求の正確サイズ、及びサイズ比率もまた、本業界の技能に属する。
【００１２】
本考案は、多種異なる形式によって実施することが可能である。現在、ただ単に例として挙げる実施例は内容を制限するものではなく、図面を参照しながら本考案の構造内容について次の通り説明する。
【００１３】
図１乃至図３に示す通り、本考案の実施例に基づき構成される自動オープン式の蓋を備えるゴミ箱１は、本体１１、フレーム台１２、及び上蓋１３を備える。前記本体１１は周囲に側壁１１１、側壁１１１内部で区切られる内部室１１２、及び上部開口１１３を備える。本実施例において、本体１１は、ステンレス金属素材で作製し、しかも上部開口１１３の内側周囲には折り目エッジ１１４を形成し、また、本体１１の底端には底蓋１１５を設ける。
【００１４】
フレーム台１２はフレームエッジ１２１、上部開口１２２、及び底部開口１２３を備える。本実施例では、フレーム台１２の上部開口１２２は底部開口１２３より若干大きくし、フレーム台１２はプラスチック素材で作製する。且つ、底部開口１２３の内側周囲にはフランジ１２４を形成し、フランジ１２４は対応する本体１１の側壁１１１の上端１１６に近い故、フレーム台１２の底部開口１２３は本体１１の上部開口１２２上に嵌合する。図４に示す通り、フランジ１２４上には間隔を空けた複数の引き掛け部１２５を設け、フレーム台１２のフランジ１２４が本体１１の上端１１６上に嵌合した時、前記引き掛け部１２５は対応する折り目エッジ１１４の底部に嵌入して定位する。
【００１５】
前述したフランジ１２４上に設置したフレーム体１４は、第一エッジ１４ａと第二エッジ１４ｂを備え、第一エッジ１４ａは、平坦な接合エッジ１４１と、接合エッジ１４１の上表面で凹み対称的に設置された二つの凹部１４２を備え、第一エッジ１４ａの中央には貫通孔１４５を形成する。第二エッジ１４ｂには、接合エッジ１４１に対応する別の接合エッジ１４３、接合エッジ１４３箇所から突出して対称的に設置する二つのプレス板１４４、及び第二エッジ１４ｂの中央に形成する貫通孔１４６を設ける。
【００１６】
第一エッジ１４ａは、第一ゴミ袋１５の開口箇所を外側方向に折り返して包み込ませる為のもので、且つ、第一ゴミ袋１５の底端は貫通孔１４５を通過し、第一エッジ１４ａをフランジ１２４上に装着した時、第一ゴミ袋１５の接合エッジ１４１以外の部分は全て、第一エッジ１４ａとフランジ１２４間に挟まれて固定する。
【００１７】
第二エッジ１４ｂは、第二ゴミ袋１６の開口箇所を外側方向に折り返して包み込ませる為のもので、且つ、第二ゴミ袋１６の底端は貫通孔１４６を通過し、第二エッジ１４ｂをフランジ１２４上に装着した時、第二ゴミ袋１６の接合エッジ１４３以外の部分は全て、第二エッジ１４ｂとフランジ１２４間に挟まれて固定する。また、第二エッジ１４ｂの接合エッジ１４３は第一エッジ１４ａの接合エッジ１４１と隣接し、しかもプレス板１４４は対応する凹部１４２上を圧して接し、第一ゴミ袋１５と第二ゴミ袋１６は接合エッジ１４１の部分でしっかり挟まれている故、第一ゴミ袋１５と第二ゴミ袋１６は簡単に第一エッジ１４ａまたは第二エッジ１４ｂから離脱することがない。これにより第一エッジ１４ａの貫通孔１４５は、使用者がゴミを第一ゴミ袋１５内に入れる為のもので、第二エッジ１４ｂの貫通孔１４６は、使用者がゴミを第二ゴミ袋１６内に入れる為のものである。よって、本考案のゴミ箱は簡単なゴミの分類機能を備えており、例えばリサイクル不可能なゴミを第一ゴミ袋１５内に捨て、リサイクル可能なゴミを第二ゴミ袋１６内に捨てることが可能となる。
【００１８】
本考案の提供する上蓋１３を実施した蓋の自動開き技術は市場で取得できるものである。次に簡単な説明を行う。上蓋１３は、底部１３１、投入口１３２、及びその内の一つの蓋板１３３を備え、前記投入口１３２はフレーム体１４上の貫通孔１４５、貫通孔１４６と向き合っている。上蓋１３の底部１３１は、フレーム台１２の上部開口１２２上を覆い、蓋板１３３は枢軸１３４で上蓋１３を軸着することにより、蓋板１３３は投入口１３２に対して開閉動作を行う事が可能となる。また、上蓋１３には電池１３５、スイッチ１３９、モーター１３６、モーター１３６によって動かされるカム１３７、及び人体静電気を感知する静電気センサー部品２を内設する。前記カム１３７は、枢軸１３４上に装着したカム１３８と噛合し、カム１３８は枢軸１３４と同時に回転するように軸着し、しかも静電気センサー部品２から延長するセンサー線２１は上蓋１３の周囲に配置する。スイッチ１３９をオンにした後、人体が静電気センサー部品２及びセンサー線２１で構成されるセンサーエリアに近付くと、モーター１３６がスタートしてカム１３７、カム１３８を回転させ、蓋板１３３は対応する投入口１３２から開かれ、使用者による本体１１内へのゴミの投入を便利にする。また、モーター１３６が予定時間後に自動的に停止した後、蓋板１３３はそれ自体の重力によって自動的に投入口１３２上を覆合う状態で閉じる。
【００１９】
上蓋１３内に設ける静電気センサー部品２、及び静電気センサー部品２が人体の静電気を感知して上蓋１３の開きを促進する構造に関しては公知技術に含まれるものであり、本考案の特徴はフレーム台１２の設計にある。即ち、フレーム台１２を静電気センサーによる自動オープン式の蓋を備えるゴミ箱１の本体１１と上蓋１３の間に設置することにより、ゴミ箱１の本体１１素材は非導電材料（プラスチック）に制限されず、ゴミ箱１の本体１１の材料選択上での自由度を高めることが可能となる。具体的に言えば、フレーム台１２はプラスチック素材で作製し、その周囲のフレームエッジ１２１は一定高さを備えるが、本実施例においては、周囲のフレームエッジ１２１の高さは６センチ以上とし、上蓋１３と本体１１を一定間隔を空けて配置する故、本体１１を金属素材で作製した場合でも顕著な静電気障害を引き起こさず、静電気センサー部品２及びセンサー線２１により構成されるセンサーエリアの人体静電気に対する感知に影響を及ぼすことはない。
【００２０】
本考案の構成する自動オープン式の蓋を備えるゴミ箱１を使用する場合、使用者はただ単に手をゴミ箱１の上蓋１３に近づけるだけで（約５センチ以内）、投入口１３２を覆っている蓋板１３３を自動的に開き、ゴミ箱１に接触して手を汚す必要がない。また、本体１１はステンレスの金属素材で作製することも可能であり、質感もよく、客間や部屋など美観が要求される場所への使用に適し、よって本考案は予期する設計目標と実施効果を達成することが可能となる。
【００２１】
前述は本考案の構造に対する良好な実施例を挙げての説明であり、本考案の設計精神に基づき多種の変化や修正を行うことは可能である。よって、当該技術の熟知者によって為される部品の取替えや修正は本考案の主張する実用新案請求の範囲内に含まれるものとする。
【符号の説明】
【００２２】
１    ゴミ箱
１１    本体
１１１  側壁
１１２  内部室
１１３  上部開口
１１４  折り目エッジ
１１５  底蓋
１１６  上端
１２    フレーム台
１２１  フレームエッジ
１２２  上部開口
１２３  底部開口
１２４  フランジ
１２５  引き掛け部
１３    上蓋
１３１  底部
１３２  投入口
１３３  蓋板
１３４  枢軸
１３５  電池
１３６  モーター
１３７  カム
１３８  カム
１３９  スイッチ
１４    フレーム体
１４ａ  第一エッジ
１４ｂ  第二エッジ
１４１  接合エッジ
１４２  凹部
１４３  接合エッジ
１４４  プレス板
１４５  貫通孔
１４６  貫通孔
１５    第一ゴミ袋
１６    第二ゴミ袋
２    静電気センサー部品
２１    センサー線
【図１】
0003151050.tif 000003
【図２】
0003151050.tif 000004
【図３】
0003151050.tif 000005
【図４】
0003151050.tif 000006